(57)【要約】【課題】壁面緑化を施しつつ構造物（建物の室内）への採光を可能にするとともに、冬場などの低温時に植物の育成を促進させることを可能にした壁面緑化システムを提供する。【解決手段】植栽が施される基盤１ａを備えた緑化ユニット１を構造物Ｔの壁面Ｔ１に沿って並設して構造物Ｔに緑化を施す壁面緑化システムにおいて、緑化ユニット１を壁面Ｔ１に対して傾動自在に設ける。また、第１伝動部材３を回動させるとともに複数の緑化ユニット１のそれぞれの歯車８を回転させることによって、複数の緑化ユニット１が同時に傾動するように構成する。【選択図】図１
2010029088.tif 000002
【特許請求の範囲】
【請求項１】
植栽が施される基盤を備えた緑化ユニットを構造物の壁面に沿って並設して前記構造物に緑化を施す壁面緑化システムであって、
前記緑化ユニットが前記壁面に対して傾動自在に設けられていることを特徴とする壁面緑化システム。
【請求項２】
請求項１記載の壁面緑化システムにおいて、
前記緑化ユニットに歯車が設けられるとともに、複数の前記緑化ユニットの前記歯車に無端状の第１伝動部材が巻き掛けられ、
前記第１伝動部材を回動させるとともに前記複数の緑化ユニットのそれぞれの前記歯車を回転させることによって、前記複数の緑化ユニットが同時に傾動するように構成されていることを特徴とする壁面緑化システム。
【請求項３】
請求項２記載の壁面緑化システムにおいて、
回転軸を備えた電動機が設けられるとともに、該電動機の回転軸と少なくとも一つの前記緑化ユニットの歯車とに無端状の第２伝動部材が巻き掛けられ、
前記電動機を駆動して前記第２伝動部材を回動させるとともに前記少なくとも一つの緑化ユニットの歯車を回転させることによって、前記第１伝動部材が回動するように構成されていることを特徴とする壁面緑化システム。
【請求項４】
請求項３記載の壁面緑化システムにおいて、
前記電動機の駆動を制御する制御手段が設けられていることを特徴とする壁面緑化システム。
【発明の詳細な説明】
【技術分野】
【０００１】
本発明は、構造物の壁面に緑化を施すための壁面緑化システムに関する。
【背景技術】
【０００２】
従来、都市部におけるヒートアイランド現象の緩和や大気中の炭酸ガスの吸収、アメニティ空間の創出などを目的として、建物や土木構造物（構造物）の壁面に植栽を施す壁面緑化が行なわれている。
【０００３】
そして、この種の壁面緑化システムＡには、例えば図２及び図３に示すように、植栽が施される培土基盤（基盤）１ａとこの培土基盤１ａを保持する枠部材１ｂを備える緑化ユニット１を構造物Ｔの壁面Ｔ１に沿って並設して構成したものがある（例えば、特許文献１参照）。
【特許文献１】特開２００７−２２２０１５号公報
【発明の開示】
【発明が解決しようとする課題】
【０００４】
しかしながら、上記の壁面緑化システムＡにおいては、略水平方向に延設した断面略凹状の樋部材２に枠部材１ｂを着脱可能に固定して緑化ユニット１が設置されているため、常時、構造物Ｔの壁面Ｔ１が緑化ユニット１（壁面緑化システムＡ）に被覆される。このため、構造物Ｔが建物の場合には、緑化ユニット１で太陽光が遮られて建物Ｔ側の照度が低くなり、建物Ｔの窓などの開口部から室内への採光が妨げられて室内が暗くなってしまう。そして、このように壁面緑化を施すことにより室内への採光が妨げられることで、光熱費の負担が増大するという問題があった。
【０００５】
また、例えば冬場などの低温時に早く植物を育成させたい場合があり、このような場合には、緑化ユニット１の植物接地面１ｃ（培土基盤１ａの表面）を太陽光線に対して直交させ、太陽熱を十分に緑化ユニット１に吸収（採熱）させることによって、短時間で効率的に植物を育成することが可能になる。しかしながら、上記の壁面緑化システムＡにおいては、緑化ユニット１が、常時、植物接地面１ｃを構造物Ｔの壁面Ｔ１に沿わせた状態で固設されているため、太陽熱を十分に吸収できず、植物の育成を促進させることができないという問題があった。
【０００６】
本発明は、上記事情に鑑み、壁面緑化を施しつつ構造物（建物の室内）への採光を可能にするとともに、冬場などの低温時に植物の育成を促進させることを可能にした壁面緑化システムを提供することを目的とする。
【課題を解決するための手段】
【０００７】
上記の目的を達するために、この発明は以下の手段を提供している。
【０００８】
本発明の壁面緑化システムは、植栽が施される基盤を備えた緑化ユニットを構造物の壁面に沿って並設して前記構造物に緑化を施す壁面緑化システムであって、前記緑化ユニットが前記壁面に対して傾動自在に設けられていることを特徴とする。
【０００９】
この発明においては、構造物の壁面に沿ってこの壁面を覆うように設置されている状態から緑化ユニットを傾動させることによって、例えば隣り合う緑化ユニットの間に開口が形成されるため、この開口を通じて構造物側に太陽光を照射させることが可能になる。これにより、構造物が建物の場合に、壁面緑化を施しつつ室内への採光が可能になる。
【００１０】
また、例えば冬場などの低温時に植物の育成を促進させたい場合に、植物接地面（基盤の表面）を太陽光線に対して直交させるように緑化ユニットを傾動させることで、構造物に壁面緑化を施しつつ緑化ユニットに太陽熱を十分に吸収（採熱）させることが可能になる。
【００１１】
また、本発明の壁面緑化システムおいては、前記緑化ユニットに歯車が設けられるとともに、複数の前記緑化ユニットの前記歯車に無端状の第１伝動部材が巻き掛けられ、前記第１伝動部材を回動させるとともに前記複数の緑化ユニットのそれぞれの前記歯車を回転させることによって、前記複数の緑化ユニットが同時に傾動するように構成されていることが望ましい。
【００１２】
この発明においては、第１伝動部材を回動させるとともに複数の緑化ユニットを同時に傾動させることが可能になるため、容易に且つ効率的に室内への採光や各緑化ユニットの採熱を図ることが可能になる。
【００１３】
さらに、本発明の壁面緑化システムおいては、回転軸を備えた電動機が設けられるとともに、該電動機の回転軸と少なくとも一つの前記緑化ユニットの歯車とに無端状の第２伝動部材が巻き掛けられ、前記電動機を駆動して前記第２伝動部材を回動させるとともに前記少なくとも一つの緑化ユニットの歯車を回転させることによって、前記第１伝動部材が回動するように構成されていることがより望ましい。
【００１４】
この発明においては、電動機の駆動によって第２伝動部材ひいては第１伝動部材を回動させることができ、複数の緑化ユニットを同時に傾動させることが可能になる。これにより、より容易に且つ効率的に室内への採光や各緑化ユニットの採熱を図ることが可能になる。
【００１５】
また、本発明の壁面緑化システムおいては、前記電動機の駆動を制御する制御手段が設けられていることがさらに望ましい。
【００１６】
この発明においては、制御手段により、例えば太陽の位置に合わせて電動機の駆動を制御することによって、自動的に複数の緑化ユニットを太陽の位置に合わせて傾動させることが可能になる。これにより、さらに容易に且つ効率的に室内への採光や各緑化ユニットの採熱を図ることが可能になる。
【発明の効果】
【００１７】
本発明の壁面緑化システムによれば、緑化ユニットが構造物の壁面に対して傾動自在に設けられていることにより、構造物が建物の場合に室内への採光が可能になるため、壁面緑化を施しつつ明るい室内を実現でき、光熱費の負担を低減することが可能になる。
【００１８】
また、植物接地面を太陽光線に対して直交させるように緑化ユニットを傾動させることで、緑化ユニットに太陽熱を十分に吸収（採熱）させることが可能になるため、例えば冬場などの低温時に、植物をより短時間で効率よく育成することが可能になる。
【００１９】
さらに、降雨時に緑化ユニットを傾動させることにより、効率的に灌水を行うことも可能になる。
【発明を実施するための最良の形態】
【００２０】
以下、図１を参照し、本発明の一実施形態に係る壁面緑化システムについて説明する。本実施形態は、建物（構造物）の外面や内面の壁面に緑化を施すための壁面緑化システムに関するものである。
【００２１】
本実施形態の壁面緑化システムＢは、図１に示すように、植栽が施される基盤１ａを備えて矩形板状に形成され、建物Ｔの壁面Ｔ１に沿って並設される緑化ユニット１と、第１チェーン（第１伝動部材）３と、第２チェーン（第２伝動部材）４と、壁面緑化システムＢの最上方に配設された電動モータ（電動機）５と、電動モータ５の駆動を制御する例えばコンピュータなどの制御手段６とを備えて構成されている。
【００２２】
緑化ユニット１は、建物Ｔとの間に配設された支持枠７に支持されて、建物Ｔの壁面Ｔ１に沿う上下方向及び水平方向に複数並設されている。また、本実施形態の緑化ユニット１には、その上端部に水平方向に延びる図示せぬ回動軸が一体に固設されており、この回動軸にギア（歯車）８が取り付けられている。そして、各緑化ユニット１は、回動軸を回動可能に支持枠７に支持させて、建物Ｔの壁面Ｔ１に沿う状態から下端部を上方に移動させるように回動軸中心に傾動自在（回動自在）に設けられている。すなわち、各緑化ユニット１は、植物接地面１ｃ（基盤１ａの表面）が建物Ｔの壁面Ｔ１に沿って水平方向を向く状態から上方を向くように傾動自在に設けられている。
【００２３】
そして、上下方向に並設された複数の緑化ユニット１には、それぞれのギア８に無端状の第１チェーン３が巻き掛けられている。また、最上方の緑化ユニット１のギア８と電動モータ５の回転軸５ａに取り付けられたギア５ｂとに無端状の第２チェーン４が巻き掛けられている。
【００２４】
ここで、緑化ユニット１は、図２及び図３に示したように、基盤１ａと、この基盤１ａを保持する枠部材１ｂとを備えて構成するようにしてもよい。また、基盤１ａに植栽される植物は、例えばコケ、セダム、蔓性植物などが好ましいが特に限定を必要とするものではなく、植物を基盤１ａに植栽する手法においても、直接基盤１ａに播種して植物を育成させたり、予め基盤１ａに窪みを設けてこの窪みにポット苗を植栽するなど、特に限定を必要としない。
【００２５】
上記のように構成した本実施形態の壁面緑化システムＢにおいては、電動モータ５を駆動して回転軸５ａが回転すると、回転軸５ａに取り付けられたギア５ｂが回転し、これとともに第２チェーン４が回動する。この第２チェーン４の回動によって、最上方の緑化ユニット（少なくとも一つの緑化ユニット）１のギア８が回転し、このギア８の回転とともに第１チェーン３が回動する。そして、第１チェーン３が複数の緑化ユニット１のそれぞれのギア８に巻き掛けられているため、各緑化ユニット１のギア８が第１チェーン３の回動とともに回転し、建物Ｔの壁面Ｔ１に沿い、この壁面Ｔ１を覆うように設置されている各緑化ユニット１が同時に傾動する。
【００２６】
これにより、上下方向に隣り合う緑化ユニット１の間に開口９が形成され、この開口９を通じて建物Ｔ側に太陽光が照射される。このため、日中に緑化ユニット１を傾動させることによって、建物Ｔ１の窓などの開口部から室内への採光が可能になり、壁面緑化を施した場合においても、室内が明るくなり、余分な光熱費の負担がなくなる。
【００２７】
また、このとき、電動モータ５を駆動するとともに第２チェーン４ひいては第１チェーン３が回動して、複数の緑化ユニット１が同時に傾動するため、容易に且つ効率的に室内への採光が図られる。さらに、制御手段６により、例えば太陽の位置に合わせて電動モータ５の駆動を制御した場合には、自動的に複数の緑化ユニット１が太陽の位置に合わせて傾動することになり、さらに容易に且つ効率的に室内への採光が図られることになる。
【００２８】
一方、例えば冬場などの低温時に、緑化ユニット１の基盤１ａに植栽した植物の育成を促進させたい場合には、電動モータ５を駆動して植物接地面１ｃが太陽光線に対して直交するように緑化ユニット１を傾動させる。このように緑化ユニット１を傾動させると、緑化ユニット１（基盤１ａ）に太陽熱が十分に吸収（採熱）され、植物が短時間で効率よく育成することになる。
【００２９】
また、この場合においても、電動モータ５を駆動するとともに第２チェーン４ひいては第１チェーン３が回動して、複数の緑化ユニット１が同時に傾動するため、容易に且つ効率的に採熱が図られる。さらに、制御手段６により、例えば太陽の位置に合わせて電動モータ５の駆動を制御した場合には、自動的に複数の緑化ユニット１が太陽の位置に合わせて傾動することになり、さらに容易に且つ効率的に採熱が図られることになる。よって、植物がより短時間で効率よく確実に育成することになる。
【００３０】
また、降雨時に緑化ユニット１を傾動させることにより、効率的に灌水が行える。
【００３１】
したがって、本実施形態の壁面緑化システムＢにおいては、建物Ｔの壁面Ｔ１に沿ってこの壁面Ｔ１を覆うように設置されている状態から緑化ユニット１を傾動させることによって、隣り合う緑化ユニット１の間に開口９が形成されるため、この開口９を通じて建物Ｔ側に太陽光を照射させることが可能になる。これにより、壁面緑化を施しつつ建物Ｔの室内への採光が可能になり、壁面緑化を施しつつ明るい室内を実現でき、光熱費の負担を低減することが可能になる。
【００３２】
また、例えば冬場などの低温時に植物の育成を促進させたい場合に、植物接地面１ｃを太陽光線に対して直交させるように緑化ユニット１を傾動させることで、建物Ｔに壁面緑化を施しつつ緑化ユニット１に太陽熱を十分に吸収（採熱）させることが可能になる。これにより、冬場などの低温時に、植物をより短時間で効率よく育成することが可能になる。
【００３３】
さらに、降雨時に緑化ユニット１を傾動させることにより、効率的に灌水を行うことも可能になる。
【００３４】
また、本実施形態の壁面緑化システムＢおいては、第１チェーン３、第２チェーン４、電動モータ５を備えて構成することにより、電動モータ５の駆動によって第２チェーン４ひいては第１チェーン３を回動させることができ、複数の緑化ユニット１を同時に傾動させることが可能になる。これにより、より容易に且つ効率的に室内への採光や各緑化ユニット１の採熱を図ることが可能になる。
【００３５】
さらに、このとき、電動モータ６の駆動を制御する制御手段６を備え、この制御手段６により、太陽の位置に合わせて電動モータ５の駆動を制御することによって、自動的に複数の緑化ユニット１を太陽の位置に合わせて傾動させることが可能になる。これにより、さらに容易に且つ効率的に室内への採光や各緑化ユニット１の採熱を図ることが可能になる。
【００３６】
以上、本発明に係る壁面緑化システムの実施形態について説明したが、本発明は上記の一実施形態に限定されるものではなく、その趣旨を逸脱しない範囲で適宜変更可能である。例えば、本実施形態では、第２チェーン４、電動モータ５、制御手段６を備え、複数の緑化ユニット１が同時に且つ自動的に傾動するものとして説明を行ったが、少なくとも一つの緑化ユニット１のギア８を手動で回転させ、第１チェーン３をこのギア８の回転とともに回動させることによって、複数の緑化ユニット１を同時に傾動させるようにしてもよい。また、例えば建物Ｔの窓などの開口部を覆っている緑化ユニット１のみを傾動させて室内への採光を図れるようにしてもよく、複数の緑化ユニット１がそれぞれ個別に傾動するように構成してもよい。
【００３７】
さらに、本実施形態では、緑化ユニット１の上端部に回動軸が固設され、この水平方向に延びる回動軸を回動可能に支持枠７に支持させることで、緑化ユニット１が建物Ｔの壁面Ｔ１に沿う状態から下端部を上方に移動させるように回動軸中心に傾動するものとした。これに対し、本発明は、緑化ユニット１が壁面Ｔ１に対して傾動自在に設けられていればよく、例えば緑化ユニット１の一方の側端部に回動軸を固設し、この上下方向に延びる回動軸を回動可能に支持枠７に支持させて、緑化ユニット１を、建物Ｔの壁面Ｔ１に沿う状態から他方の側端部を横方向（水平方向）に移動させるように傾動自在に設けてもよい。この場合においても、緑化ユニット１を傾動させることで太陽光を建物Ｔ側に照射させて室内への採光を図ることが可能である。また、建物Ｔの壁面Ｔ１に沿って設置されている状態と比較し、緑化ユニット１を傾動させることで太陽熱をより多く採熱することが可能である。
【００３８】
また、本実施形態では、第１伝動部材と第２伝動部材が第１チェーン３と第２チェーン４であるものとしたが、第１伝動部材と第２伝動部材はそれぞれベルトであってもよい。
【００３９】
さらに、本実施形態では、構造物が建物Ｔであるものとして説明を行ったが、本発明は、土木構造物など建物Ｔ以外の構造物に適用してもよい。
【図面の簡単な説明】
【００４０】
【図１】本発明の一実施形態に係る壁面緑化システムを示す側面図であり、緑化ユニットを傾動させた状態を示す図である。
【図２】従来の壁面緑化システムを示す側面図である。
【図３】図２のＸ１−Ｘ１線矢視図である。
【符号の説明】
【００４１】
１      緑化ユニット
１ａ    基盤
１ｂ    枠部材
１ｃ    植物接地面（基盤の表面）
２      樋部材
３      第１チェーン（第１伝動部材）
４      第２チェーン（第２伝動部材）
５      電動モータ（電動機）
５ａ    回転軸
５ｂ    ギア
６      制御手段
７      支持枠
８      ギア（歯車）
９      開口
Ａ      従来の壁面緑化システム
Ｂ      壁面緑化システム
Ｔ      建物（構造物）
Ｔ１    壁面
【図１】
2010029088.tif 000003
【図２】
2010029088.tif 000004
【図３】
2010029088.tif 000005